(57)【要約】【課題】１つの室内機に２系統の容量の異なる室内熱交換器と、風量の異なる送風機からなる通風路を設けることにより、ダクトの風路抵抗が異なる２つの部屋へ、同時に１台の室内機で風量が均一で快適な空調を行うことができるダクト式空気調和機を提供する。【解決手段】大容量の第一室内熱交換器７ａと、小容量の第二室内熱交換器７ｂの２系統を配置し、第一室内熱交換器７ａに大風量の第一送風機９ａを、第二室内熱交換器７ｂに小風量の第二送風機９ｂを配置し、第一通風路８ａの吸込口と吹出口に風路抵抗の大きい吸込ダクト１０ａ  と吹出ダクト１０ｃ  を接続し、第二通風路８ｂの吸込口と吹出口に風路抵抗の小さい吸込ダクト１０ｂ  と吹出ダクト１０ｄ  を接続し、通常の冷暖房運転時に、第二室内熱交換器７ｂより第一室内熱交換器７ａの方へ冷媒を多く流すようにした。【選択図】  図１
2004226012.tif 000002
【特許請求の範囲】
【請求項１】
圧縮機と、四方弁と、室外熱交換器と、膨張弁を備えた室外機と、室内熱交換器を備えた室内機とからなり、これらを冷媒配管により順次配管接続して冷媒回路を構成し、前記室内機と夫々区画された複数の部屋とを、夫々吸込ダクトと吹出ダクトにより接続してなるダクト式空気調和機において、
前記室内熱交換器を容量が異なる大容量の第一室内熱交換器と、小容量の第二室内熱交換器の２系統で構成し、前記膨張弁と前記第一室内熱交換器および前記第二室内熱交換器とを、流量抵抗の異なる二股の第一分岐管を介して接続するとともに、前記第一室内熱交換器および前記第二室内熱交換器と前記四方弁とを、同じく流量抵抗の異なる二股の第二分岐管を介して接続し、前記第一分岐管と前記第一室内熱交換器間に第一開閉弁を、前記第一分岐管と前記第二室内熱交換器間に第二開閉弁を夫々設け、
前記室内機内を仕切壁を介設して２系統の第一通風路と第二通風路とに区画し、前記第一通風路の吸込口と吹出口に風路抵抗の大きい吸込ダクトと吹出ダクトを接続するとともに、前記第二通風路の吸込口と吹出口に風路抵抗の小さい吸込ダクトと吹出ダクトを接続する一方、前記第一通風路に室内空気を吸込み前記第一室内熱交換器に送る大風量の第一送風機を、前記第二通風路に前記第二室内熱交換器に送る小風量の第二送風機を夫々配置し、
通常の冷暖房運転時に、前記第一開閉弁および前記第二開閉弁を開とし、前記第一分岐管および前記第二分岐管の流量抵抗差により、前記第二室内熱交換器より前記第一室内熱交換器の方へ冷媒を多く流すようにしてなることを特徴とするダクト式空気調和機。
【請求項２】
前記第一室内熱交換器および前記第二室内熱交換器に、冷房運転時に結氷を検知する温度センサを夫々設け、前記いずれか一方の温度センサが結氷を検知したとき、結氷した方の前記開閉弁を閉じると共に、前記室外熱交換器を送風する室外側送風機の回転数を所定数下げてなることを特徴とする請求項１記載のダクト式空気調和機。
【発明の詳細な説明】
【０００１】
【発明の属する技術分野】
本発明は、ダクト式空気調和機に係わり、より詳しくは、１つの室内機に２系統の容量の異なる室内熱交換器と、風量の異なる送風機からなる通風路を設け、２つの異なる風路抵抗のダクトに対応する室内機の構成に関する。
【０００２】
【従来の技術】
複数の部屋を有するビルディング等では、冷凍サイクルおよびファンの運転によって空調用空気（冷気または暖気）を得、それをダクトで複数の部屋に分配供給するタイプのダクト式空気調和機が使用される。
従来のこの種のダクト式空気調和機は、例えば図４に示すように、調温空気を形成するためのユニット１’と、このユニット１’に夫々つながれ複数の被空調域２５，２６，２７へ前記調温空気を導びくダクト５’，６’，７’とを備え、ユニット１’内に複数のダクト５’，６’，７’へ個々につながる通風路８’，９’，１０’  と、これら通風路８’，９’，１０’  に夫々配置される熱交換器１１’，１２’，１３’  と、夫々の通風路へ風を送り込む送風機５０とを設け、夫々の熱交換器の冷媒制御弁１４’，１５’，１６’  の弁開度を夫々の被空調域２５，２６，２７の負荷に応じて制御する第１の制御器１７’，１８’，１９’  と、ユニットの運転中は送風機の回転数を略一定に保つ第２の制御器３３とを備えるようにしたものである（例えば、特許文献１。）。
【０００３】
上記構成において、この被空調域２５，２６，２７の負荷が変化しても、この被空調域へ導入される調温空気量を所定値に保ちつつこの調温空気の温度のみを変えるようにしたので、この被空調域での換気量を所定量確実に保って負荷に見合った空調することができる。
【０００４】
調温空気を形成するためのユニットと被空調域との距離が、大幅に離れている部屋と近い部屋の２種類が存在する場合、ダクトの長さにより、ダクトの風路抵抗が異なり、送風機の吹出し口における必要な静圧が大幅に異なる。
しかしながら、上記従来例は、送風機５０が共通のファンモータ５４により動作さ、送風機の回転数を一定に保たれているため、同時に空調しようとする場合、ユニットからの距離が近い部屋にユニットから吹き出された風の多くが流れ込み、ユニットからの距離が大幅に離れている部屋においては十分な空調を行うための風量が確保できない。更に、吹出し口における静圧が低下することによって、熱交換器を通過する風量が大幅に増加した場合は、冷房運転においては蒸発能力の増加により圧力及び圧縮機の吐出温度が大幅に上昇したり、暖房運転においては凝縮能力の増加により、室外機側熱交換器が着霜し易くなるという恐れがある。
【０００５】
【特許文献１】
特開平５−１１８５８０号公報（要約、第１図）
【０００６】
【発明が解決しようとする課題】
本発明においては、前記問題点に鑑み、１つの室内機に２系統の容量の大小異なる室内熱交換器と、風量の大小異なる送風機からなる通風路を設けることにより、ダクトの風路抵抗が異なる２つの部屋へ、同時に１台の室内機で風量が均一で快適な空調を行うことができるダクト式空気調和機を提供することを目的としている。
【０００７】
【課題を解決するための手段】
本発明は上記の課題を解決するためになされたもので、圧縮機と、四方弁と、室外熱交換器と、膨張弁を備えた室外機と、室内熱交換器を備えた室内機とからなり、これらを冷媒配管により順次配管接続して冷媒回路を構成し、前記室内機と夫々区画された複数の部屋とを、夫々吸込ダクトと吹出ダクトにより接続してなるダクト式空気調和機において、
前記室内熱交換器を容量が異なる大容量の第一室内熱交換器と、小容量の第二室内熱交換器の２系統で構成し、前記膨張弁と前記第一室内熱交換器および前記第二室内熱交換器とを、流量抵抗の異なる二股の第一分岐管を介して接続するとともに、前記第一室内熱交換器および前記第二室内熱交換器と前記四方弁とを、同じく流量抵抗の異なる二股の第二分岐管を介して接続し、前記第一分岐管と前記第一室内熱交換器間に第一開閉弁を、前記第一分岐管と前記第二室内熱交換器間に第二開閉弁を夫々設け、
前記室内機内を仕切壁を介設して２系統の第一通風路と第二通風路とに区画し、前記第一通風路の吸込口と吹出口に風路抵抗の大きい吸込ダクトと吹出ダクトを接続するとともに、前記第二通風路の吸込口と吹出口に風路抵抗の小さい吸込ダクトと吹出ダクトを接続する一方、前記第一通風路に室内空気を吸込み前記第一室内熱交換器に送る大風量の第一送風機を、前記第二通風路に前記第二室内熱交換器に送る小風量の第二送風機を夫々配置し、
通常の冷暖房運転時に、前記第一開閉弁および前記第二開閉弁を開とし、前記第一分岐管および前記第二分岐管の流量抵抗差により、前記第二室内熱交換器より前記第一室内熱交換器の方へ冷媒を多く流すようにしてなる構成となっている。
【０００８】
また、前記第一室内熱交換器および前記第二室内熱交換器に、冷房運転時に結氷を検知する温度センサを夫々設け、前記いずれか一方の温度センサが結氷を検知したとき、結氷した方の前記開閉弁を閉じると共に、前記室外熱交換器を送風する室外側送風機の回転数を所定数下げてなる構成となっている。
【０００９】
【発明の実施の形態】
以下、本発明の実施の形態を添付図面を参照して詳細に説明する。
図１は、本発明のダクト式空気調和機の概略構成図、図２は、本発明におけるダクト式空気調和機の冷媒回路図である。図１と図２において、１は室外機、２は圧縮機、３は四方弁、４は室外熱交換器、５は膨張弁、６は室内機、７ａは第一室内熱交換器、７ｂは第二室内熱交換器、９ａは第一送風機、９ｂは第二送風機、８ａは第一通風路、８ｂは第二通風路、１０ａ  は第一吸込ダクト、１０ｂ  は第二吸込ダクト、１０ｃ  は第一吹出ダクト、１０ｄ  は第二吹出ダクト、１１は第一開閉弁、１２は第一分岐管、１３は第二開閉弁、１４は第二分岐管、１５は室外側送風機である。
【００１０】
まず本発明のダクト式空気調和機の冷媒回路について説明すると、室外機１に収納された圧縮機２と、四方弁３と、室外熱交換器４と、膨張弁５と、室内機６に収納された大容量の第一室内熱交換器７ａ及び小容量の第二室内熱交換器７ｂとからなり、これらを順次配管接続して冷媒回路を構成している。
【００１１】
前記膨張弁５と前記第一室内熱交換器７ａおよび前記第二室内熱交換器７ｂの冷房時入口側とを、流量抵抗の異なる二股の第一分岐管１２を介して接続する。このとき、前記第一分岐管１２の流量抵抗の小さい（内径の太い）方を第一開閉弁１１を介して前記第一室内熱交換器７ａに接続し、前記第一分岐管１２の流量抵抗の大きい（内径の細い）方を第二開閉弁１３を介して前記第二室内熱交換器７ｂに接続する。
【００１２】
また、前記第一室内熱交換器７ａおよび前記第二室内熱交換器７ｂの冷房時入口側と前記四方弁３とを、流量抵抗の異なる二股の第二分岐管１４を介して接続する。このとき、前記第二分岐管１４の流量抵抗の小さい（内径の太い）方を前記第一室内熱交換器７ａ側に、流量抵抗の大きい（内径の細い）方を前記第二室内熱交換器７ｂ側に接続する。
【００１３】
前記室内機６内は、前記第一室内熱交換器７ａと前記第二室内熱交換器７ｂとの間に仕切壁１ａを介設して２系統の第一通風路８ａと第二通風路８ｂが区画されている。そして、前記第一通風路８ａには、室内空気を吸込み前記第一室内熱交換器７ａに送るファンモータ９ａ１  を備えた大風量の第一送風機９ａが設けられ、前記第二通風路８ｂには、室内空気を吸込み前記第二室内熱交換器７ｂに送るファンモータ９ｂ１  を備えた小風量の第二送風機９ｂが設けられている。
【００１４】
前記第一通風路８ａの吸込口８ａ１  と吹出口８ａ２  には、前記室内機６と被空調室（Ａ室）との距離が長く、ダクトの風路抵抗の大きい（吹出口にかかる静圧が高い）方の吸込ダクト１０ａ  及び吹出ダクト１０ｃ  を接続し、前記第二通風路８ｂの吸込口８ｂ１  と吹出口８ｂ２  には、前記室内機６と被空調室（Ｂ室）との距離が短く、ダクトの風路抵抗の小さい（吹出口にかかる静圧が低い）方の吸込ダクト１０ｂ  及び吹出ダクト１０ｄ  を夫々接続した構成となっている。
【００１５】
上記構成において、図２に示すように、前記第一室内熱交換器７ａおよび前記第二室内熱交換器７ｂを、通常の同時冷房運転または同時暖房運転する場合は、前記第一開閉弁１１及び前記第二開閉弁１３を開き、前記四方弁３を切り替えにより、冷房運転時に実線矢印に示すように冷媒を流し、暖房運転時には破線矢印に示すように冷媒を流し、前記第一分岐管１２及び前記第二分岐管１４の内径の太い方が接続された前記第一室内熱交換器７ａの方へ冷媒量を多く流す構成となっている。
この結果、室内機６から距離が遠くダクトが長い部屋と、距離が近くダクトが短い部屋へ、同時に１台の室内機６で風量が均一で快適な空調を行うことができる。
【００１６】
また、図３に示すように、前記第一室内熱交換器７ａおよび前記第二室内熱交換器７ｂに、冷房運転時に結氷を検知する温度センサ１６ａ，１６ｂ  を夫々設け、前記いずれか一方の温度センサが結氷を検知したとき、結氷した方の前記第一開閉弁１１または前記第二開閉弁１３のいずれかを閉じると共に、前記室外熱交換器４を送風する室外側送風機１５の回転数を所定数下げてなる構成とすることにより、室外熱交換器４の凝縮能力を下げることで、冷房運転中の室内熱交換器の方へ全ての冷媒が流れ込むことによる熱交換器の温度の低下を防ぐことが可能となる。
【００１７】
以上説明したように、１つの室内機６に２系統の容量の大小異なる室内熱交換器７ａ，７ｂ  と、風量の大小異なる送風機９ａ，９ｂ  からなる通風路８ａ，８ｂ  を設け、通常の同時冷房運転または同時暖房運転する場合に、大容量の室内熱交換器７ａ側へ冷媒を多く流すことにより、ダクトの風路抵抗が異なる２つの部屋へ、同時に１台の室内機で風量が均一で快適な空調を行うことができるダクト式空気調和機となる。
【００１８】
【発明の効果】
以上のように本発明によれば、１つの室内機に２系統の容量の大小異なる室内熱交換器と、風量の大小異なる送風機からなる通風路を設けることにより、ダクトの風路抵抗が異なる２つの部屋へ、同時に１台の室内機で風量が均一で快適な空調を行うことができるダクト式空気調和機となる。
【図面の簡単な説明】
【図１】本発明におけるダクト式空気調和機の概略構成図である。
【図２】本発明におけるダクト式空気調和機の冷媒回路図である。
【図３】本発明における他の実施例を示す冷媒回路図である。
【図４】従来例によるダクト式空気調和機の構成図である。
【符号の説明】
１  室外機
２  圧縮機
３  四方弁
４  室外熱交換器
５  膨張弁
６  室内機
７ａ  第一室内熱交換器
７ｂ  第二室内熱交換器
８ａ    第一通風路
８ｂ  第二通風路
９ａ  第一送風機
９ｂ  第二送風機
１０ａ  第一吸込ダクト
１０ｂ  第二吸込ダクト
１０ｃ  第一吹出ダクト
１０ｄ  第二吹出ダクト
１１  第一開閉弁
１２  第一分岐管
１３  第二開閉弁
１４  第二分岐管
１５  室外側送風機
１６ａ，１６ｂ  温度センサ
【図１】
2004226012.tif 000003
【図２】
2004226012.tif 000004
【図３】
2004226012.tif 000005
【図４】
2004226012.tif 000006